【手続補正書】
【提出日】平成24年8月1日(2012.8.1)
【手続補正１】
【補正対象書類名】明細書
【補正対象項目名】発明の名称
【補正方法】変更
【補正の内容】
【発明の名称】情報処理システム、情報処理装置、サーバ装置、情報処理方法、及び、コンピュータプログラム
【手続補正２】
【補正対象書類名】明細書
【補正対象項目名】００１１
【補正方法】変更
【補正の内容】
【００１１】
そこで、本発明は、パスワードの登録に関し、パスワードとして用いる文字列の入力を確定させる前に、パスワードを推測される危険性をユーザに報知可能な技術を提供することを目的とする。
【手続補正３】
【補正対象書類名】明細書
【補正対象項目名】００１２
【補正方法】変更
【補正の内容】
【００１２】
上記した目的を達成するために、本発明の情報処理システムは、パスワードとして用いる文字列を受け付ける情報処理システムであって、パスワードとして用いる文字列の編集指示を受け付ける第１の受付手段と、前記第１の受付手段が受け付けた前記編集指示に従った前記文字列の変更に応じて、当該文字列が推測される危険性を評価する評価手段と、前記評価手段による評価に基づいた報知を行うことで、ユーザに対して、前記文字列が推測される危険性の報知を行う第１の報知手段と、を備えることを特徴とする。
【手続補正４】
【補正対象書類名】明細書
【補正対象項目名】００１３
【補正方法】変更
【補正の内容】
【００１３】
上記した目的を達成するために、本発明の情報処理方法は、パスワードとして用いる文字列を受け付ける情報処理システムによって行われる情報処理方法であって、パスワードとして用いる文字列の編集指示を受け付ける第１の受付工程と、前記第１の受付工程で受け付けた前記編集指示に従った前記文字列の変更に応じて、当該文字列が推測される危険性を評価する評価工程と、前記評価工程による評価に基づいた報知を行うことで、ユーザに対して、前記文字列が推測される危険性の報知を行う第１の報知工程と、を備えることを特徴とする。
【手続補正５】
【補正対象書類名】明細書
【補正対象項目名】００１４
【補正方法】変更
【補正の内容】
【００１４】
上記した目的を達成するために、本発明のコンピュータプログラムは、パスワードとして用いる文字列を受け付ける情報処理システムで実行可能なコンピュータプログラムであって、前記情報処理システムを、パスワードとして用いる文字列の編集指示を受け付ける第１の受付手段と、前記第１の受付手段で受け付けた前記編集指示に従った前記文字列の変更に応じて、当該文字列が推測される危険性を評価する評価手段と、前記評価手段による評価に基づいた報知を行うことで、ユーザに対して、前記文字列が推測される危険性の報知を行う第１の報知手段として機能させることを特徴とする。
【手続補正６】
【補正対象書類名】明細書
【補正対象項目名】００１５
【補正方法】変更
【補正の内容】
【００１５】
本発明によれば、ユーザによるパスワード入力が完了していなくとも、ユーザによるパスワードとして用いる文字列の編集指示に従って文字列が変更されるたびに、その時点で入力されている文字列が推測される危険性をユーザに報知することが出来る。

【手続補正７】
【補正対象書類名】明細書
【補正対象項目名】００４９
【補正方法】変更
【補正の内容】
【００４９】
クライアント装置１０１から送信されたユーザ情報の登録のためのリクエストデータを受信すると（ステップＳ４２３）、ウェブサーバ１０２のＣＰＵ２０１は、ＡＰサーバ１０３に対してユーザ情報の登録のためのプログラムの実行要求を行う（ステップＳ４２４）。この時合わせて、クライアント装置１０１から取得したユーザ情報をＡＰサーバ１０３に対して送信する。
【手続補正８】
【補正対象書類名】明細書
【補正対象項目名】００９４
【補正方法】変更
【補正の内容】
【００９４】
法則性がある文字列が入力された場合には、あらかじめ設定されているルールに従って、その危険度合いを示す評価値が算出されるので、その危険度合いをユーザに認識させるようにする。例えば、個人情報の一部が含まれている等、非常に危険度合いが高いと思われる場合には「橙」、入力された文字列に法則性がある等、比較的危険度合いが高い場合には「黄」、その他危険度合いに応じて「緑」、「青」といったようにパスワードの入力欄の背景色を変えることにより、その危険度合いを報知すれば良い。
【手続補正９】
【補正対象書類名】明細書
【補正対象項目名】０１０５
【補正方法】変更
【補正の内容】
【０１０５】
そして、ステップＳ１００５の処理後、パスワード複雑性評価に用いる属性情報に対する編集処理を受け付けたと判定した場合には（ステップＳ１００６でＹＥＳ）、処理をステップＳ１００８に、一方、編集処理を受け付けたのは複雑性評価に用いる属性項目ではないと判定した場合には（ステップＳ１００６でＮＯ）、処理をステップＳ１００２に戻す。
【手続補正１０】
【補正対象書類名】特許請求の範囲
【補正対象項目名】全文
【補正方法】変更
【補正の内容】
【特許請求の範囲】
【請求項１】
パスワードとして用いる文字列を受け付ける情報処理システムであって、
パスワードとして用いる文字列の編集指示を受け付ける第１の受付手段と、
前記第１の受付手段が受け付けた前記編集指示に従った前記文字列の変更に応じて、当該文字列が推測される危険性を評価する評価手段と、
前記評価手段による評価に基づいた報知を行うことで、ユーザに対して、前記文字列が推測される危険性の報知を行う第１の報知手段と、
を備えることを特徴とする情報処理システム。
【請求項２】
パスワードの登録可否を判定するための条件を記憶する第１の記憶手段と、
前記第１の受付手段で受け付けた編集指示に従って編集された文字列をパスワードとして登録できない要因となっている条件を特定する特定手段と、
前記特定手段で特定された条件をユーザに報知する第２の報知手段と、
をさらに備えることを特徴とする請求項１に記載の情報処理システム。
【請求項３】
前記第１の受付手段が文字列の編集指示を受け付けることにより変更された前記文字列の文字数が、予め設定された所定の文字数以上であるかを判定する判定手段を更に備え、
前記判定手段で所定の文字数以上であると判定した場合に、前記評価手段は、前記文字列が推測される危険性を評価すること
を特徴とする請求項１または２に記載の情報処理システム。
【請求項４】
前記判定手段により、前記第１の受付手段が文字列の編集指示を受け付けることにより変更された前記文字列の文字数が所定の文字数以上ではないと判定された場合には、前記報知手段は、前記危険性の報知を行わないこと
を特徴とする請求項３に記載の情報処理システム。
【請求項５】
パスワード登録を行うユーザのユーザ情報を記憶する第２の記憶手段を更に備え、
前記評価手段は、前記第２の記憶手段で記憶されているユーザ情報の項目のうち、前記文字列の評価に使用する項目に登録されている情報を用いて、前記前記文字列が推測される危険性を評価すること
を特徴とする請求項１乃至４のいずれか１項に記載の情報処理システム。
【請求項６】
前記ユーザのユーザ情報の編集指示を受け付ける第２の受付手段を更に備え、
前記第２の編集手段で編集指示を受け付けたユーザ情報の項目が前記評価手段による評価値に使用する項目である場合に、前記評価手段は、変更後のユーザ情報を用いて前記文字列が推測される危険性を評価すること
を特徴とする請求項５に記載の情報処理システム。
【請求項７】
前記評価手段は、前記文字列に含まれる文字種別を用いて、前記文字列が推測される危険性を評価すること
を特徴とする請求項１乃至６のいずれか１項に記載の情報処理システム。
【請求項８】
前記報知手段は、前記パスワードとして用いる文字列の入力欄の背景色を前記評価値に応じて異ならせて表示することで、ユーザに対して前記文字列が推測される危険性の報知を行うこと
を特徴とする請求項１乃至７のいずれか１項に記載の情報処理システム。
【請求項９】
前記文字列をパスワードとして確定する確定指示を受け付ける第３の受付手段と、
第３の受付手段で受け付けた時に入力されている前記文字列をパスワードとして登録する登録手段と、
をさらに備えることを特徴とする請求項１乃至８のいずれか１項に記載の情報処理システム。
【請求項１０】
前記情報処理システムは、第１の情報処理装置と、１台以上の第２の情報処理装置を備えて構成されており、
前記第２の情報処理装置は前記第１の受付手段を、前記第１の情報処理装置は前記評価手段を備え、
前記第２の情報処理装置は更に、
前記第１の受付手段が受け付けた文字列の編集指示に従った前記文字列の変更に応じて、当該文字列が推測される危険性の評価を前記第１の情報処理装置に要求する要求手段を備え、
前記第１の情報処理装置は更に、
前記要求手段による、前記文字列が他人より推測される危険性の評価の要求を受信する受信手段と、
前記評価手段による評価に応じた危険性の報知を前記情報処理装置が行うために用いる報知情報を、前記第２の情報処理装置に対して送信する送信手段を備え、
前記評価手段は、前記受信手段で前記評価要求を受信した後に、前記文字列が推測される危険性を評価する
ことを特徴とする請求項１乃至９に記載の情報処理システム。
【請求項１１】
前記要求手段は、前記第１の情報処理装置に対して、非同期通信で前記文字列が推測される危険性の評価を要求し、
前記送信手段は、前記第２の情報処理装置に対して、非同期通信で前記前記評価手段による評価に応じた危険性の報知を行うために用いる報知情報を送信する
ことを特徴とする請求項１０に記載の情報処理システム。
【請求項１２】
パスワードとして用いる文字列を受け付ける情報処理装置であって、
パスワードとして用いる文字列の編集指示を受け付ける第１の受付手段と、
前記第１の受付手段が受け付けた文字列の編集指示に従った前記文字列の変更に応じて、当該文字列が推測される危険性の評価をサーバ装置に要求する要求手段と、
前記要求手段による評価要求に応じてサーバ装置により行われる危険性の評価に従った報知を行うことで、ユーザに対して、前記文字列が推測される危険性を報知する報知手段と、
を備えることを特徴とする情報処理装置。
【請求項１３】
前記要求手段は、前記サーバ装置に対して非同期通信で、前記文字列が推測される危険性の評価をサーバ装置に要求すること
を特徴とする請求項１２に記載の情報処理装置。
【請求項１４】
前記第１の受付手段が文字列の編集指示を受け付けることにより変更された前記文字列の文字数が、予め設定された所定の文字数以上であるかを判定する判定手段を更に備え、
前記判定手段が、前記文字数が所定の文字数以上であると判定した場合に、前記要求手段は、前記サーバ装置に対して前記評価を要求すること
を特徴とする請求項１２または１３に記載の情報処理装置。
【請求項１５】
前記判定手段により、前記第１の受付手段が文字列の編集指示を受け付けることにより変更された前記文字列の文字数が所定の文字数以上ではないと判定された場合には、前記報知手段は、前記危険性の報知を行わないこと
を特徴とする請求項１４に記載の情報処理装置。
【請求項１６】
パスワードとして用いる文字列の編集指示を受け付ける情報処理装置と通信可能に接続されたサーバ装置であって、
ユーザからの編集指示に応じて文字列が変更されることに応じて前記情報処理装置より送信される、前記文字列が他人より推測される危険性の評価の要求を受信する受信手段と、
前記受信手段で前記評価要求を受信した後に、前記文字列が推測される危険性を評価する評価手段と、
前記評価手段による評価に応じた危険性の報知を前記情報処理装置が行うために用いる報知情報を、前記情報処理装置に対して送信する送信手段と、
を備えることを特徴とするサーバ装置。
【請求項１７】
前記受信手段は、前記情報処理装置から非同期通信で送信された前記文字列が他人より推測される危険性の評価の要求を受信し、
前記送信手段は、前記前記評価手段による評価に応じた危険性の報知を前記情報処理装置が行うために用いる報知情報を、非同期通信で前記情報処理装置に対して送信すること
を特徴とする請求項１６に記載のサーバ装置。
【請求項１８】
パスワードの登録可否を判定するための条件を記憶する第１の記憶手段と、
前記第１の受付手段で受け付けた編集指示に従って編集された文字列をパスワードとして登録できない要因となっている条件を特定する特定手段を更に備え、
前記送信手段は、前記特定手段で特定された条件を前記情報処理装置がユーザに報知するための用いる情報をさらに送信すること
を特徴とする請求項１６または１７に記載のサーバ装置。
【請求項１９】
前記情報処理装置は、文字列の編集指示を受け付けることにより変更された前記文字列の文字数が、予め設定された所定の文字数以上である場合に、前記サーバ装置に対して、前記文字列が推測される危険性の評価を要求すること
を特徴とする請求項１６乃至１８のいずれか１項に記載のサーバ装置。
【請求項２０】
パスワードとして用いる文字列を受け付ける情報処理システムによって行われる情報処理方法であって、
パスワードとして用いる文字列の編集指示を受け付ける第１の受付工程と、
前記第１の受付工程で受け付けた前記編集指示に従った前記文字列の変更に応じて、当該文字列が推測される危険性を評価する評価工程と、
前記評価工程による評価に基づいた報知を行うことで、ユーザに対して、前記文字列が推測される危険性の報知を行う第１の報知工程と、
を備えることを特徴とする情報処理方法。
【請求項２１】
パスワードとして用いる文字列を受け付ける情報処理装置によって行われる情報処理方法であって、
パスワードとして用いる文字列の編集指示を受け付ける第１の受付工程と、
前記第１の受付工程で受け付けた文字列の編集指示に従った前記文字列の変更に応じて、当該文字列が推測される危険性の評価をサーバ装置に要求する要求工程と、
前記要求工程による評価要求に応じてサーバ装置により行われる危険性の評価に従った報知を行うことで、ユーザに対して、前記文字列が推測される危険性を報知する報知工程と、
を備えることを特徴とする情報処理方法。
【請求項２２】
パスワードとして用いる文字列の編集指示を受け付ける情報処理装置と通信可能に接続されたサーバ装置によって行われる情報処理方法であって、
ユーザからの編集指示に応じて文字列が変更されることに応じて前記情報処理装置より送信される、前記文字列が他人より推測される危険性の評価の要求を受信する受信工程と、
前記受信工程で前記評価要求を受信した後に、前記文字列が推測される危険性を評価する評価工程と、
前記評価工程による評価に応じた危険性の報知を前記情報処理装置が行うために用いる報知情報を、前記情報処理装置に対して送信する送信工程と
を備えることを特徴とする情報処理方法。
【請求項２３】
パスワードとして用いる文字列を受け付ける情報処理システムで実行可能なコンピュータプログラムであって、
前記情報処理システムを、
パスワードとして用いる文字列の編集指示を受け付ける第１の受付手段と、
前記第１の受付手段で受け付けた前記編集指示に従った前記文字列の変更に応じて、当該文字列が推測される危険性を評価する評価手段と、
前記評価手段による評価に基づいた報知を行うことで、ユーザに対して、前記文字列が推測される危険性の報知を行う第１の報知手段
として機能させることを特徴とするコンピュータプログラム。
【請求項２４】
パスワードとして用いる文字列を受け付ける情報処理装置を、
パスワードとして用いる文字列の編集指示を受け付ける第１の受付手段と、
前記第１の受付手段で受け付けた文字列の編集指示に従った前記文字列の変更に応じて、当該文字列が推測される危険性の評価をサーバ装置に要求する要求手段と、
前記要求手段による評価要求に応じてサーバ装置により行われる危険性の評価に従った報知を行うことで、ユーザに対して、前記文字列が推測される危険性を報知する報知手段
として機能させることを特徴とするコンピュータプログラム。
【請求項２５】
パスワードとして用いる文字列の編集指示を受け付ける情報処理装置と通信可能に接続されたサーバ装置を、
ユーザからの編集指示に応じて文字列が変更されることに応じて前記情報処理装置より送信される、前記文字列が他人より推測される危険性の評価の要求を受信する受信手段と、
前記受信手段で前記評価要求を受信した後に、前記文字列が推測される危険性を評価する評価手段と、
前記評価手段による評価に応じた危険性の報知を前記情報処理装置が行うために用いる報知情報を、前記情報処理装置に対して送信する送信手段
として機能させることを特徴とするコンピュータプログラム。